(57)【要約】【課題】チャンネルベースを床に固定する締結具の取り外し作業を容易に行えるようにする。【解決手段】チャンネルベース１が、配電盤９９が載置される矩形枠体１０と、矩形枠体１０から垂下した脚部２４，２５，３４，３５と、脚部２４，２５，３４，３５の下端から外向きに延設され、締結具によって床に固定されるベース部２６，２７，３６，３７と、を備える。矩形枠体１０が、梁部２１及び片持ち梁部２２，２３からなる分割体と、梁部３１及び片持ち梁部３２，３３からなる分割体と、を有する。これら分割体が枠状に組み立てられることによって、矩形枠体１０が構成される。【選択図】図１
2019193492.tif 000002
【特許請求の範囲】
【請求項１】
配電盤が載置される枠体と、
前記枠体から垂下した脚部と、
前記脚部の下端から外向きに延設され、締結具によって床に固定されるベース部と、
を備えるチャンネルベース。
【請求項２】
前記枠体が複数の分割体を有し、これら分割体が枠状に組み立てられることによって前記枠体が構成される
請求項１に記載のチャンネルベース。
【発明の詳細な説明】
【技術分野】
【０００１】
本発明は、配電盤が載置されるチャンネルベースに関する。
【背景技術】
【０００２】
特許文献１に開示されているように、配電盤はチャンネルベース上に載置されて固定される。このチャンネルベースは矩形枠体、脚部及び補助脚部を有し、脚部は矩形枠体の四つ角から床にまで垂下し、補助脚部は矩形枠体の２辺の中点から床にまで垂下している。脚部及び補助脚部の下端には、脚部及び補助脚部の下端から内向きに延設された板状のベース部がそれぞれ設けられている。
【先行技術文献】
【特許文献】
【０００３】
【特許文献１】特許第５５５５３４２号公報
【発明の概要】
【発明が解決しようとする課題】
【０００４】
ところで、特許文献１に開示されているように、配電盤の移設作業を行う場合、アンカーボルトを取り外す必要がある。ところが、配電盤のケーブル等が邪魔になって、配電盤の下でアンカーボルトの取り外し作業を行いづらい。
そこで、本発明は、上記事情に鑑みてなされたものであり、本発明の目的は、チャンネルベースを床に固定する締結具の取り外し作業を容易に行えるようにすることである。
【課題を解決するための手段】
【０００５】
以上の課題を解決するために、チャンネルベースが、配電盤が載置される枠体と、前記枠体から垂下した脚部と、前記脚部の下端から外向きに延設され、締結具によって床に固定されるベース部と、を備える。
【０００６】
以上によれば、ベース部が脚部の下端から外向きに延設されているため、枠体の下に手や道具等を差し入れずとも締結具を容易に取り外すことができる。
【発明の効果】
【０００７】
本発明の実施形態によれば、締結具を容易に取り外すことができる。
【図面の簡単な説明】
【０００８】
【図１】チャンネルベースを俯瞰した斜視図である。
【図２】変形例のチャンネルベースを俯瞰した斜視図である。
【図３】他の変形例のチャンネルベースを俯瞰した斜視図である。
【図４】他の変形例のチャンネルベースを俯瞰した斜視図である。
【図５】チャンネルベースの列を俯瞰した斜視図である。
【発明を実施するための形態】
【０００９】
以下、図面を参照して、本発明の実施形態について説明する。以下に述べる実施形態には、本発明を実施するために技術的に好ましい種々の限定が付されているが、本発明の範囲を以下の実施形態及び図示例に限定するものではない。
【００１０】
図１は、チャンネルベース１を俯瞰して示す斜視図である。
このチャンネルベース１上には、配電盤９９が載置されて固定されている。チャンネルベース１は半架台２，３を組み立てたものであり、半架台２，３はチャンネルベース１が鉛直な中心面に分割されることによって構成される。半架台２と半架台３はその中心面に関して面対称である。
【００１１】
半架台２は梁部２１、片持ち梁部２２，２３、脚部２４，２５及びベース部２６，２７を備える。
脚部２４，２５はそれぞれベース部２６，２７に立設されている。梁部２１は脚部２４,２５の上端部間に架設されている。梁部２１はＬ字型の断面形状を有する。
【００１２】
ベース部２６，２７はそれぞれ脚部２４，２５の下端から水平に延設されており、ベース部２６が脚部２４の下端から延びる向きとベース部２７が脚部２５の下端から延びる向きは反対である。梁部２１の架設方向はベース部２６，２７が延びる向きに対して平行であり、上から見て、ベース部２６，２７はそれぞれ梁部２１の両端から延長する向きに延びている。
【００１３】
片持ち梁部２２，２３の断面形状を有する。片持ち梁部２２，２３はそれぞれ梁部２１の両端部から梁部２１の架設方向に対して垂直な向きに延設され、片持ち梁部２２が梁部２１の一端部から延びる向きと片持ち梁部２３の他端部から延びる向きは同じである。上から見て、片持ち梁部２２、梁部２１及び片持ち梁部２３はこれら全体としてＵ字型（コ字型）を形作る。
【００１４】
半架台３は梁部３１、片持ち梁部３２，３３、脚部３４，３５及びベース部３６，３７を備える。半架台３は鉛直な中心面に関して半架台２と面対称であるため、半架台３の詳細な説明を省略する。
【００１５】
半架台２の片持ち梁部２２の先端と半架台３の片持ち梁部３２の先端が突き当てられ、片持ち梁部２２，３２の先端同士がボルトナット締結部６１によって固定され、これにより両持ち梁が構成される。同様に、突き当てられた片持ち梁部２３，３３の先端同士がボルトナット締結部６２によって固定されている。これにより、梁部２１、片持ち梁部２２，３２、梁部３１及び片持ち梁部３２，３３が矩形枠体１０に組み立てられ、矩形枠体１０の内側には開口１１が形成される。ここで、梁部２１及び片持ち梁部２２，２３の組合せと、梁部３１及び片持ち梁部３２，３３の組合せが矩形枠体１０の分割体である。
【００１６】
脚部２４，２５，３４，３５はそれぞれ矩形枠体１０の四つの角から垂下している。上から見て、ベース部２６，２７，３６，３７は矩形枠体１０の外向きに延設されている。ベース部２６，２７，３６，３７は床に面接触するとともに、それぞれ締結具２６ａ，２７ａ，３６ａ，３７ａによって床に締結されている。締結具２６ａ，２７ａ，３６ａ，３７ａは例えばアンカーボルトである。
【００１７】
脚部２４，２５が床に立設されることによって、脚部２４，２５、梁部２１及び床によって囲われた開口１２が形成される。同様にして、脚部３４，３５、梁部３１及び床が開口１３を囲い、脚部２４，３４、片持ち梁部２２，３２及び床が開口１４を囲い、脚部２５，３５、片持ち梁部２３，３３及び床が開口１５を囲う。
【００１８】
矩形枠体１０の上面よりも下方となる部位には、矩形枠体１０の外方へ突出した鍔部１６が設けられている。鍔部１６が矩形枠体１０の全周に亘って設けられており、上から見て、鍔部１６が矩形枠状に形作られている。鍔部１６は、床の上方において矩形枠体１０の周辺に設けられたフロアパネルの縁部をその下から支持する。
【００１９】
配電盤９９が矩形枠体１０上に設置されている。配電盤９９のケーブルが上側の開口１１を通って矩形枠体１０の下まで配線され、開口１２〜１５の何れかを通って外方へ引き出されている。
【００２０】
配電盤９９の移設作業を行う場合には、配電盤９９と矩形枠体１０の固定を解除するとともに、締結具２６ａ，２７ａを取り外す。ベース部２６，２７が外向きに延設されているため、締結具２６ａ，２７ａの取り外し作業を行いやすい。
その後、ボルトナット締結部６１，６２を外し、半架台２，３を分離できるようにする。次に、配電盤９９を半架台３側に傾けて、配電盤９９の荷重を半架台３にあずけた状態にする。その状態で、半架台２を配電盤９９の下から抜き取るが、開口１２〜１５の下側が開放されているため、ケーブルが半架台２の抜き出し作業の邪魔にならない。その後、配電盤９９を台車に載せて、移動する。
【００２１】
配電盤９９の設置作業を行う場合には、特に、別の設置場所から運んできた配電盤９９をチャンネルベース１上に設置する場合には、まず、半架台３を床上に載置して、締結具３６ａ，３７ａによってベース部３６，３７を床に締結する。その後、配電盤９９を半架台３の梁部３１及び片持ち梁部３２，３３上に載置して、その配電盤９９を傾けることによって配電盤９９の荷重を半架台３にあずけた状態にする。また、ケーブルを配電盤９９の下から片持ち梁部３２又は片持ち梁部３３の下に通して、外側に引き出す。その後、半架台２を配電盤９９の下に置いて、半架台２の片持ち梁部２２，２３の先端を半架台３の片持ち梁部３２，３２の先端に突き当てる。次に、片持ち梁部２２，３２の先端同士をボルトナット締結部６１によって固定するとともに、片持ち梁部２３，３３の先端同士をボルトナット締結部６２によって固定する。次に、配電盤９９の荷重を半架台２，３の両方にあずける。次に、締結具２６ａ，２７ａによってベース部２６，２７を床に締結する。
【００２２】
以上に説明したように、ベース部２６，２７，３６，３７が外向きに延設されているため、配電盤９９が矩形枠体１０上に載置された状態でも、締結具２６ａ，２７ａ，３６ａ，３７ａの着脱を容易に行える。
【００２３】
〔変形例１〕
図２に示すように、補助脚部４２，４３，５２，５３がそれぞれ片持ち梁部２２，２３，３２，３３から垂下し、補助ベース部４６，４７，５６，５７は外向きに延設され、補助ベース部４６，４７，５６，５７はそれぞれ締結具４６ａ，４７ａ，４６ａ，４７ａによって床に締結されていてもよい。補助脚部４２がボルトナット締結部７１によって片持ち梁部２２に取り付けられている。そのため、ボルトナット締結部７１を緩めると、補助脚部４２を片持ち梁部２２から取り外すことができる。補助脚部４３，５２，５３についても同様に着脱可能である。
【００２４】
〔変形例２〕
図３に示すように、鍔部１６が矩形枠体１０のうち対辺に設けられていてもよいし、図４に示すように、鍔部１６が矩形枠体１０のうち３辺に設けられてもよい。また、図示を省略するが、鍔部１６が矩形枠体１０のうち１辺に設けられていてもよいし、矩形枠体１０のうち角を挟む２辺に設けられていてもよい。
【００２５】
図５に示すように、複数のチャンネルベース１が隣接して一列に配列されている。ここで、列の両端のチャンネルベース１は図３に示すものであり、それ以外のチャンネルベース１は図４に示すものである。なお、図１に示すチャンネルベース１が配列されるものとしてもよい。
【符号の説明】
【００２６】
１…チャンネルベース
１０…矩形枠体
２４，２５，３４，３５…脚部
２６，２７，３６，３７…ベース部
２６ａ，２７ａ，３６ａ，３７ａ，４６ａ，４７ａ，４６ａ，４７ａ…締結具
４２，４３，５２，５３…補助脚部
４６，４７，５６，５７…補助ベース部
【図１】
2019193492.tif 000003
【図２】
2019193492.tif 000004
【図３】
2019193492.tif 000005
【図４】
2019193492.tif 000006
【図５】
2019193492.tif 000007